(57)【要約】タブレット端末装置Ｗは、スピーカ５２を有する。タブレット端末装置Ｗは、スピーカ５２を収容する内側ケース４０と、内側ケース４０を収容し、ガラス板２１との間に隙間Ｙを有する外側ケース３０とを備える。内側ケース４０と外側ケース３０との間にはアンテナ配置空間Ｘが形成されている。内側ケース４０においてスピーカ５２に近い位置に、内側ケース４０の内部の空間とアンテナ配置空間Ｘとを連通させる連通部（連通孔４１ｆ及び連通溝４１ｅ）が設けられている。外側ケース３０とこれに隣接するガラス板２１との隙間Ｙと、アンテナ配置空間Ｘとが連通している。
2015097936.tif 000002
【特許請求の範囲】
【請求項１】
スピーカを有する電子機器であって、
前記スピーカを収容する内側ケースと、
前記内側ケースを収容し、開口または隣接する部材との間に隙間を有する外側ケースとを備え、
前記内側ケースと前記外側ケースとの間には所定の空間が形成され、
前記内側ケースにおいて前記スピーカに近い位置に、前記内側ケースの内部の空間と前記所定の空間とを連通させる連通部が設けられ、
前記隙間または前記開口と前記所定の空間とが連通している、
電子機器。
【請求項２】
前記スピーカは前記内側ケース内において前記所定の空間の近傍となる位置に配置されている、
請求項１記載の電子機器。
【請求項３】
前記所定の空間は、前記内側ケースの一側部の一部を前記外側ケースから離れる方向に凹ませることにより形成され、
前記連通部は、前記一側部の前記一部以外の部分に形成されている、
請求項１または請求項２に記載の電子機器。
【請求項４】
前記所定の空間にアンテナが配置されている、
請求項１から請求項３のいずれか１項に記載の電子機器。
【請求項５】
前記外側ケースの主面にはガラス板が配置され、
前記スピーカは、振動板の振動方向が前記ガラス板の主面に直交するように配置され、
前記連通部は、前記スピーカから出力される音声を前記ガラス板の主面と平行な方向に導いて前記所定の空間に出力するように形成されている、
請求項１から請求項４のいずれか１項に記載の電子機器。
【請求項６】
前記外側ケースの主面にはガラス板が配置され、
前記外側ケースと前記ガラス板との間に隙間が設けられている、
請求項１から請求項５のいずれか１項に記載の電子機器。
【請求項７】
前記電子機器は、タブレット型コンピュータである、
請求項１から請求項６のいずれか１項に記載の電子機器。
【発明の詳細な説明】
【技術分野】
【０００１】
本開示は、スピーカを有する電子機器に関する。
【背景技術】
【０００２】
電子機器には、音声を出力するスピーカが備えられる場合がある。スピーカが備えられた電子機器として、例えば特許文献１や特許文献２に記載のものがある。【０００３】
特許文献１には、ケース内に配置されたスピーカから出力される音声を、ケースに設けた放音口を介してケースの外部に出力する構成が開示されている。【０００４】
特許文献２には、ケース内に配置されたスピーカから出力される音声を、ケースの側面を構成する２つの部材の隙間を介してケースの外部に出力する構成が開示されている。
【先行技術文献】
【特許文献】
【０００５】
【特許文献１】特開２００８−２１１５１９号公報
【特許文献２】特開２０１１−１０１２９８号公報
【発明の概要】
【発明が解決しようとする課題】
【０００６】
電子機器は、電子部品等を収容する内側ケースと、内側ケースを収容する外側ケースとを備え、スピーカは、内側ケース内に収容される場合がある。【０００７】
本開示は、スピーカ等を収容する内側ケースと、内側ケースを収容する外側ケースとを備えた電子機器の放音構造を提供する。
【課題を解決するための手段】
【０００８】
本開示に係る電子機器は、スピーカを有する。電子機器は、スピーカを収容する内側ケースと、内側ケースを収容し、開口または隣接する部材との間に隙間を有する外側ケースとを備える。内側ケースと外側ケースとの間には所定の空間が形成され、内側ケースにおいてスピーカに近い位置に、内側ケースの内部の空間と所定の空間とを連通させる連通部が設けられ、隙間または開口と所定の空間とが連通している。
【発明の効果】
【０００９】
本開示の電子機器によれば、スピーカから出力された音声を、連通部を介して、内側ケースの内部の空間から内側ケースの外部の所定の空間に伝達し、所定の空間から例えば外側ケースの開口や隙間等を介して外側ケースの外部に出力することができる。
【図面の簡単な説明】
【００１０】
【図１】本開示の実施の形態に係るタブレット端末装置の上面（表示面）側を示す斜視図
【図２】本開示の実施の形態に係るタブレット端末装置の下面（背面）側を示す斜視図
【図３】本開示の実施の形態に係るタブレット端末装置において、ガラス板を取り外しかつ外側カバーの側面部材の一部を取り外した状態で、上面（表示面）側を示した斜視図
【図４】図１のＡ−Ａ線に沿う断面図
【図５】図１のＢ−Ｂ線に沿う断面図
【図６】本開示の実施の形態に係るタブレット端末装置の図３の矢印Ｃ方向から見た斜視図
【発明を実施するための形態】
【００１１】
（実施形態１）
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１２】
また、以下の説明では、特定の方向を意味する用語（例えば、「上」、「下」、「左」、「右」、およびそれらを含む他の用語）を使用する場合があるが、それらの使用は図面を参照した開示の理解を容易にするためであって、それらの用語の意味によって本開示は限定的に解釈されるべきものではない。
【００１３】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。タブレット端末装置は、ＣＰＵ、ＲＡＭ、ＲＯＭ、ＳＳＤ等の記憶装置、入力部、種々の外部インタフェース等を備え、記憶装置に記憶されているプログラムをＣＰＵで演算処理することにより、所定の機能を実現する。
【００１４】
１．構成
図１は、本実施の形態に係る電子機器としてのタブレット端末装置の上面（表示面）側を示す斜視図、また、図２は、タブレット端末装置の下面（背面）側を示す斜視図である。
【００１５】
これらの図に示すように、本実施の形態に係るタブレット端末装置Ｗは、平面視で略四角形状に形成され所定の厚さ（高さ）を有する。タブレット端末装置Ｗの上面部２には、ガラス板２１が配置されている。ガラス板２１の下面側には、表示部材１１が配置されている。表示部材１１は、例えば液晶表示装置である。表示部材１１は、ユーザがタッチ入力可能なタッチパネル式の表示装置であってもよい。タブレット端末装置Ｗの下面部４（背面側）には、電池パック１０が装着されている。電池パック１０は、電池ロック操作部材を操作することにより、着脱可能である。タブレット端末装置Ｗの側面部６には、種々の操作スイッチや種々のコネクタが配置されている。
【００１６】
タブレット端末装置Ｗは、筐体１として、ガラス板２１で構成される上面部以外の外表面を構成する外側ケース３０を有する。外側ケース３０は、側面部６を構成する側面部材３１、及び下面部４を構成する下面部材３２を有する。側面部材３１は、平面視で額縁状の形状を有している。外側ケース３０を構成する各部材は、例えばエラストマ等の樹脂で形成されている。
【００１７】
外側ケース３０及びガラス板２１で囲まれた内部空間には、図４に示すように、内側ケース４０が収容されている。内側ケース４０は、種々の電子部品類を収容可能なように箱状に構成されている。内側ケース４０は、ガラス板２１側に配置される上側部材４１と、ガラス板２１とは反対側に配置される下側部材４２とで構成される。内側ケース４０は、タブレット端末装置Ｗのフレーム（骨格材）を構成し、機械的剛性等の確保のために、例えばマグネシウム（Ｍｇ）等の金属材料を用いて形成されている。なお、以下の説明においては、上側部材４１と下側部材４２とを区別せず内側ケース４０として説明する。
【００１８】
図３に示すように、内側ケース４０の一側部（図３において右下側の側部）には、その一部を外側ケース３０において対応する側部（側面部材３１）から端末装置Ｗの長手方向において所定長離れる方向に凹ませることにより凹部４１ａが形成されている。そして、この凹部４１ａにより、図４に示すように、内側ケース４０と外側ケース３０との間には空間Ｘが形成される。この空間Ｘは、無線通信用のアンテナ５１を配置するために形成されている。以下、この空間Ｘをアンテナ配置空間Ｘという。
【００１９】
図５に示すように、本実施形態のタブレット端末装置Ｗにおいては、音声を発生させるスピーカ５２が内側ケース４０内に配置されている。以下、スピーカ５２が発生した音声を、タブレット端末装置Ｗの外部に出力するための構成について説明する。
【００２０】
スピーカ５２は、内側ケース４０内においてアンテナ配置空間Ｘの近傍となる位置に配置されている。具体的に、スピーカ５２は、内側ケース４０の前記一側部において凹部４１ａが形成されていない部分４１ｇの内側に、内側ケース４０の凹部４１ａの近傍において配置されている。スピーカ５２は、振動板５２ａの振動方向Ｖがガラス板２１に直交する方向となるように配置されている。
【００２１】
図４に示すように、外側ケース３０の側面部材３１は、側壁部３１ａと、側壁部３１ａの上端から側壁部３１ａに対してほぼ垂直に延びる上壁部３１ｂと、側壁部３１ａの下端から側壁部３１ａに対してほぼ垂直に延びる下壁部３１ｃとを備え、断面が略コ字状の形状に形成されている。側面部材３１の上壁部３１ｂの端部と、外側ケース３０の上壁部３１ｂに隣接して配置されたガラス板２１の端部との間には、所定量の隙間Ｙが設けられている。
【００２２】
内側ケース４０においてスピーカ５２に近い位置には、内側ケース４０の内部の空間とアンテナ配置空間Ｘとを連通させる連通部（連通孔４１ｆ及び連通溝４１ｅ）が設けられている。具体的に、図６に示すように、内側ケース４０は、ガラス板２１の主面に平行な上壁部４１ｄを有しており、当該上壁部４１ｄの下面側に、スピーカ５２が配置されている。スピーカ５２は、内側ケース４０の前記一側部において凹部４１ａが設けられていない部分４１ｇの内部の空間に配置されている。そして、当該上壁部４１ｄにおいてスピーカ５２に対向する位置に連通孔４１ｆが形成されている。また、当該上壁部４１ｄの上面（ガラス板２１に対向する面）には、連通孔４１ｆとアンテナ配置空間Ｘとを接続する連通溝４１ｅが形成されている。連通孔４１ｆは、スピーカ５２から出力される音声をガラス板２１の主面に略垂直な方向に導き、連通溝４１ｅは、連通孔４１ｆから出力される音声をガラス板２１の主面に対して平行な方向に導く。
【００２３】
上壁部４１ｄの他方の面には、連通孔４１ｆからの水の浸入を防ぐ防水シート６１が貼り付けられている。防水シート６１としては、音声を伝達可能な素材のシートが用いられる。
【００２４】
本実施形態によれば、図５に矢印Ｒで示すように、スピーカ５２から出力された音声は、連通孔４１ｆ及び連通溝４１ｅを介して、アンテナ配置空間Ｘに導かれ、アンテナ配置空間Ｘから外側ケース３０とガラス板２１との隙間Ｙを介して、タブレット端末装置Ｗの外部に出力される。その際、アンテナ配置空間Ｘを、スピーカ５２から出力された音声を反響させる空間として利用することができる。
【００２５】
２．まとめ
本実施形態のタブレット端末装置Ｗは、スピーカ５２を有する。タブレット端末装置Ｗは、スピーカ５２を収容する内側ケース４０と、内側ケース４０を収容し、ガラス板２１との間に隙間Ｙを有する外側ケース３０とを備える。内側ケース４０と外側ケース３０との間にはアンテナ配置空間Ｘが形成されている。内側ケース４０においてスピーカ５２に近い位置に、内側ケース４０の内部の空間とアンテナ配置空間Ｘとを連通させる連通部（連通孔４１ｆ及び連通溝４１ｅ）が設けられている。外側ケース３０とこれに隣接するガラス板２１との隙間Ｙとアンテナ配置空間Ｘとが連通している。
【００２６】
これにより、スピーカ５２から出力された音声を、連通部（連通孔４１ｆ及び連通溝４１ｅ）を介して、内側ケース４０の内部の空間から内側ケース４０の外部のアンテナ配置空間Ｘに伝達し、アンテナ配置空間Ｘから例えば外側ケース３０とガラス板２１との隙間Ｙ等を介して外側ケース３０の外部に出力することができる。
【００２７】
本実施形態において、スピーカ５２は内側ケース４０内においてアンテナ配置空間Ｘの近傍となる位置に配置されている。
【００２８】
これにより、スピーカ５２が発生した音声がアンテナ配置空間Ｘ、さらにはタブレット端末装置Ｗの外部空間に到達するまでのロスを抑制することができる。
【００２９】
本実施形態において、アンテナ配置空間Ｘは、内側ケース４０の一側部の一部を外側ケース３０から離れる方向に凹ませることにより形成され、連通部（連通孔４１ｆ及び連通溝４１ｅ）は、前記一側部の前記一部以外の部分４１ｇに形成されている。
【００３０】
これにより、内側ケース４０の一側部の前記一部以外の部分４１ｇを利用して連通部（連通孔４１ｆ及び連通溝４１ｅ）を形成することができる。
【００３１】
本実施形態において、アンテナ配置空間Ｘにアンテナ５１が配置されている。
【００３２】
これにより、アンテナ配置空間Ｘを、スピーカ５２から出力された音声を反響させる空間として利用することができる。
【００３３】
本実施形態において、外側ケース３０の主面にはガラス板２１が配置され、スピーカ５２は、振動板５２ａの振動方向Ｖがガラス板２１の主面に直交するように配置されている。連通部（連通孔４１ｆ及び連通溝４１ｅ）は、スピーカ５２から出力される音声をガラス板２１の主面と平行な方向に導いてアンテナ配置空間Ｘに出力するように形成されている。
【００３４】
これにより、スピーカ５２から出力された音声を、隙間Ｙが存在するガラス板２１方向に良好に導くことができる。
【００３５】
本実施形態において、外側ケース３０の主面にはガラス板２１が配置され、外側ケース３０とガラス板２１との間に隙間Ｙが設けられている。
【００３６】
これにより、外側ケース３０とガラス板２１との間の隙間Ｙを介して、タブレット端末装置Ｗの外部空間に出力することができる。
【００３７】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３８】
なお、本実施形態では、スピーカ５１から出力された音声を、外側ケース３０とガラス板２１との間の隙間Ｙを介してタブレット端末装置Ｗの外部空間に出力するように構成した。しかし、これに限らない。例えば、外側ケース３０にアンテナ配置空間Ｘとタブレット端末装置Ｗの外部空間とを連通する貫通孔を設け、当該貫通孔を介してスピーカ５１から出力された音声をタブレット端末装置Ｗの外部空間に出力するように構成してもよい。
【００３９】
本実施形態では、電子機器がタブレット端末装置である場合について説明した。しかし、これに限らない。本開示は、ノート型コンピュータ、電子手帳、電子ゲーム装置等の電子機器に広く適用可能である。
【００４０】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００４１】
本開示は、ノート型コンピュータ、タブレット型コンピュータ、電子手帳、電子ゲーム装置等の持ち運び可能な電子機器に広く適用可能である。
【符号の説明】
【００４２】
Ｗ  タブレット端末装置
１  筐体
２  上面部
４  下面部
６  側面部
１０  電池パック
１１  表示部材
２１  ガラス板
３０  外側ケース
３１  側面部材
３１ａ  側壁部
３１ｂ  上壁部
３１ｃ  下壁部
３２  下面部材
４０  内側ケース
４１  上側部材
４１ａ  凹部
４１ｄ  上壁部
４１ｅ  連通溝
４１ｆ  連通孔
４２  下側部材
５１  アンテナ
５２  スピーカ
５２ａ  振動板
６１  防水シート
Ｘ  アンテナ配置空間
Ｙ  隙間
【図１】
2015097936.tif 000003
【図２】
2015097936.tif 000004
【図３】
2015097936.tif 000005
【図４】
2015097936.tif 000006
【図５】
2015097936.tif 000007
【図６】
2015097936.tif 000008
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
スピーカを有する電子機器であって、
前記スピーカを収容する内側ケースと、
前記内側ケースを収容し、開口または隣接する部材との間に隙間を有する外側ケースとを備え、
前記内側ケースと前記外側ケースとの間には所定の空間が形成され、
前記内側ケースにおいて前記スピーカに近い位置に、前記内側ケースの内部の空間と前記所定の空間とを連通させる連通部が設けられ、
前記隙間または前記開口と前記所定の空間とが連通している、
電子機器。
【請求項２】
前記スピーカは前記内側ケース内において前記所定の空間の近傍となる位置に配置されている、
請求項１記載の電子機器。
【請求項３】
前記所定の空間は、前記内側ケースの一側部の一部を前記外側ケースから離れる方向に凹ませることにより形成され、
前記連通部は、前記一側部の前記一部以外の部分に形成されている、
請求項１または請求項２に記載の電子機器。
【請求項４】
前記所定の空間にアンテナが配置されている、
請求項１から請求項３のいずれか１項に記載の電子機器。
【請求項５】
前記外側ケースの主面にはガラス板が配置され、
前記スピーカは、振動板の振動方向が前記ガラス板の主面に直交するように配置され、
前記連通部は、前記スピーカから出力される音声を前記ガラス板の主面と平行な方向に導いて前記所定の空間に出力するように形成されている、
請求項１から請求項４のいずれか１項に記載の電子機器。
【請求項６】
前記外側ケースの主面にはガラス板が配置され、
前記外側ケースと前記ガラス板との間に隙間が設けられている、
請求項１から請求項５のいずれか１項に記載の電子機器。
【請求項７】
前記電子機器は、タブレット型コンピュータである、
請求項１から請求項６のいずれか１項に記載の電子機器。
【手続補正２】
【補正対象書類名】明細書
【補正対象項目名】全文
【補正方法】変更
【補正の内容】
【発明の詳細な説明】
【技術分野】
【０００１】
本開示は、スピーカを有する電子機器に関する。
【背景技術】
【０００２】
電子機器には、音声を出力するスピーカが備えられる場合がある。スピーカが備えられた電子機器として、例えば特許文献１や特許文献２に記載のものがある。
【０００３】
特許文献１には、ケース内に配置されたスピーカから出力される音声を、ケースに設けた放音口を介してケースの外部に出力する構成が開示されている。
【０００４】
特許文献２には、ケース内に配置されたスピーカから出力される音声を、ケースの側面を構成する２つの部材の隙間を介してケースの外部に出力する構成が開示されている。
【先行技術文献】
【特許文献】
【０００５】
【特許文献１】特開２００８−２１１５１９号公報
【特許文献２】特開２０１１−１０１２９８号公報
【発明の概要】
【発明が解決しようとする課題】
【０００６】
電子機器は、電子部品等を収容する内側ケースと、内側ケースを収容する外側ケースとを備え、スピーカは、内側ケース内に収容される場合がある。
【０００７】
本開示は、スピーカ等を収容する内側ケースと、内側ケースを収容する外側ケースとを備えた電子機器の放音構造を提供する。
【課題を解決するための手段】
【０００８】
本開示に係る電子機器は、スピーカを有する。電子機器は、スピーカを収容する内側ケースと、内側ケースを収容し、開口または隣接する部材との間に隙間を有する外側ケースとを備える。内側ケースと外側ケースとの間には所定の空間が形成され、内側ケースにおいてスピーカに近い位置に、内側ケースの内部の空間と所定の空間とを連通させる連通部が設けられ、隙間または開口と所定の空間とが連通している。
【発明の効果】
【０００９】
本開示の電子機器によれば、スピーカから出力された音声を、連通部を介して、内側ケースの内部の空間から内側ケースの外部の所定の空間に伝達し、所定の空間から例えば外側ケースの開口や隙間等を介して外側ケースの外部に出力することができる。
【図面の簡単な説明】
【００１０】
【図１】本開示の実施の形態に係るタブレット端末装置の上面（表示面）側を示す斜視図
【図２】本開示の実施の形態に係るタブレット端末装置の下面（背面）側を示す斜視図
【図３】本開示の実施の形態に係るタブレット端末装置において、ガラス板を取り外しかつ外側カバーの側面部材の一部を取り外した状態で、上面（表示面）側を示した斜視図
【図４】図１のＡ−Ａ線に沿う断面図
【図５】図１のＢ−Ｂ線に沿う断面図
【図６】本開示の実施の形態に係るタブレット端末装置の図３の矢印Ｃ方向から見た斜視図
【発明を実施するための形態】
【００１１】
（実施形態１）
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１２】
また、以下の説明では、特定の方向を意味する用語（例えば、「上」、「下」、「左」、「右」、およびそれらを含む他の用語）を使用する場合があるが、それらの使用は図面を参照した開示の理解を容易にするためであって、それらの用語の意味によって本開示は限定的に解釈されるべきものではない。
【００１３】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。タブレット端末装置は、ＣＰＵ、ＲＡＭ、ＲＯＭ、ＳＳＤ等の記憶装置、入力部、種々の外部インタフェース等を備え、記憶装置に記憶されているプログラムをＣＰＵで演算処理することにより、所定の機能を実現する。
【００１４】
１．構成
図１は、本実施の形態に係る電子機器としてのタブレット端末装置の上面（表示面）側を示す斜視図、また、図２は、タブレット端末装置の下面（背面）側を示す斜視図である。
【００１５】
これらの図に示すように、本実施の形態に係るタブレット端末装置Ｗは、平面視で略四角形状に形成され所定の厚さ（高さ）を有する。タブレット端末装置Ｗの上面部２には、ガラス板２１が配置されている。ガラス板２１の下面側には、表示部材１１が配置されている。表示部材１１は、例えば液晶表示装置である。表示部材１１は、ユーザがタッチ入力可能なタッチパネル式の表示装置であってもよい。タブレット端末装置Ｗの下面部４（背面側）には、電池パック１０が装着されている。電池パック１０は、電池ロック操作部材を操作することにより、着脱可能である。タブレット端末装置Ｗの側面部６には、種々の操作スイッチや種々のコネクタが配置されている。
【００１６】
タブレット端末装置Ｗは、筐体１として、ガラス板２１で構成される上面部以外の外表面を構成する外側ケース３０を有する。外側ケース３０は、側面部６を構成する側面部材３１、及び下面部４を構成する下面部材３２を有する。側面部材３１は、平面視で額縁状の形状を有している。外側ケース３０を構成する各部材は、例えばエラストマ等の樹脂で形成されている。
【００１７】
外側ケース３０及びガラス板２１で囲まれた内部空間には、図４に示すように、内側ケース４０が収容されている。内側ケース４０は、種々の電子部品類を収容可能なように箱状に構成されている。内側ケース４０は、ガラス板２１側に配置される上側部材４１と、ガラス板２１とは反対側に配置される下側部材４２とで構成される。内側ケース４０は、タブレット端末装置Ｗのフレーム（骨格材）を構成し、機械的剛性等の確保のために、例えばマグネシウム（Ｍｇ）等の金属材料を用いて形成されている。なお、以下の説明においては、上側部材４１と下側部材４２とを区別せず内側ケース４０として説明する。
【００１８】
図３に示すように、内側ケース４０の一側部（図３において右下側の側部）には、その一部を外側ケース３０において対応する側部（側面部材３１）から端末装置Ｗの長手方向において所定長離れる方向に凹ませることにより凹部４１ａが形成されている。そして、この凹部４１ａにより、図４に示すように、内側ケース４０と外側ケース３０との間には空間Ｘが形成される。この空間Ｘは、無線通信用のアンテナ５１を配置するために形成されている。以下、この空間Ｘをアンテナ配置空間Ｘという。
【００１９】
図５に示すように、本実施形態のタブレット端末装置Ｗにおいては、音声を発生させるスピーカ５２が内側ケース４０内に配置されている。以下、スピーカ５２が発生した音声を、タブレット端末装置Ｗの外部に出力するための構成について説明する。
【００２０】
スピーカ５２は、内側ケース４０内においてアンテナ配置空間Ｘの近傍となる位置に配置されている。具体的に、スピーカ５２は、内側ケース４０の前記一側部において凹部４１ａが形成されていない部分４１ｇの内側に、内側ケース４０の凹部４１ａの近傍において配置されている。スピーカ５２は、振動板５２ａの振動方向Ｖがガラス板２１に直交する方向となるように配置されている。
【００２１】
図４に示すように、外側ケース３０の側面部材３１は、側壁部３１ａと、側壁部３１ａの上端から側壁部３１ａに対してほぼ垂直に延びる上壁部３１ｂと、側壁部３１ａの下端から側壁部３１ａに対してほぼ垂直に延びる下壁部３１ｃとを備え、断面が略コ字状の形状に形成されている。側面部材３１の上壁部３１ｂの端部と、外側ケース３０の上壁部３１ｂに隣接して配置されたガラス板２１の端部との間には、所定量の隙間Ｙが設けられている。
【００２２】
内側ケース４０においてスピーカ５２に近い位置には、内側ケース４０の内部の空間とアンテナ配置空間Ｘとを連通させる連通部（連通孔４１ｆ及び連通溝４１ｅ）が設けられている。具体的に、図６に示すように、内側ケース４０は、ガラス板２１の主面に平行な上壁部４１ｄを有しており、当該上壁部４１ｄの下面側に、スピーカ５２が配置されている。スピーカ５２は、内側ケース４０の前記一側部において凹部４１ａが設けられていない部分４１ｇの内部の空間に配置されている。そして、当該上壁部４１ｄにおいてスピーカ５２に対向する位置に連通孔４１ｆが形成されている。また、当該上壁部４１ｄの上面（ガラス板２１に対向する面）には、連通孔４１ｆとアンテナ配置空間Ｘとを接続する連通溝４１ｅが形成されている。連通孔４１ｆは、スピーカ５２から出力される音声をガラス板２１の主面に略垂直な方向に導き、連通溝４１ｅは、連通孔４１ｆから出力される音声をガラス板２１の主面に対して平行な方向に導く。
【００２３】
上壁部４１ｄの他方の面には、連通孔４１ｆからの水の浸入を防ぐ防水シート６１が貼り付けられている。防水シート６１としては、音声を伝達可能な素材のシートが用いられる。
【００２４】
本実施形態によれば、図５に矢印Ｒで示すように、スピーカ５２から出力された音声は、連通孔４１ｆ及び連通溝４１ｅを介して、アンテナ配置空間Ｘに導かれ、アンテナ配置空間Ｘから外側ケース３０とガラス板２１との隙間Ｙを介して、タブレット端末装置Ｗの外部に出力される。その際、アンテナ配置空間Ｘを、スピーカ５２から出力された音声を反響させる空間として利用することができる。
【００２５】
２．まとめ
本実施形態のタブレット端末装置Ｗは、スピーカ５２を有する。タブレット端末装置Ｗは、スピーカ５２を収容する内側ケース４０と、内側ケース４０を収容し、ガラス板２１との間に隙間Ｙを有する外側ケース３０とを備える。内側ケース４０と外側ケース３０との間にはアンテナ配置空間Ｘが形成されている。内側ケース４０においてスピーカ５２に近い位置に、内側ケース４０の内部の空間とアンテナ配置空間Ｘとを連通させる連通部（連通孔４１ｆ及び連通溝４１ｅ）が設けられている。外側ケース３０とこれに隣接するガラス板２１との隙間Ｙとアンテナ配置空間Ｘとが連通している。
【００２６】
これにより、スピーカ５２から出力された音声を、連通部（連通孔４１ｆ及び連通溝４１ｅ）を介して、内側ケース４０の内部の空間から内側ケース４０の外部のアンテナ配置空間Ｘに伝達し、アンテナ配置空間Ｘから例えば外側ケース３０とガラス板２１との隙間Ｙ等を介して外側ケース３０の外部に出力することができる。
【００２７】
本実施形態において、スピーカ５２は内側ケース４０内においてアンテナ配置空間Ｘの近傍となる位置に配置されている。
【００２８】
これにより、スピーカ５２が発生した音声がアンテナ配置空間Ｘ、さらにはタブレット端末装置Ｗの外部空間に到達するまでのロスを抑制することができる。
【００２９】
本実施形態において、アンテナ配置空間Ｘは、内側ケース４０の一側部の一部を外側ケース３０から離れる方向に凹ませることにより形成され、連通部（連通孔４１ｆ及び連通溝４１ｅ）は、前記一側部の前記一部以外の部分４１ｇに形成されている。
【００３０】
これにより、内側ケース４０の一側部の前記一部以外の部分４１ｇを利用して連通部（連通孔４１ｆ及び連通溝４１ｅ）を形成することができる。
【００３１】
本実施形態において、アンテナ配置空間Ｘにアンテナ５１が配置されている。
【００３２】
これにより、アンテナ配置空間Ｘを、スピーカ５２から出力された音声を反響させる空間として利用することができる。
【００３３】
本実施形態において、外側ケース３０の主面にはガラス板２１が配置され、スピーカ５２は、振動板５２ａの振動方向Ｖがガラス板２１の主面に直交するように配置されている。連通部（連通孔４１ｆ及び連通溝４１ｅ）は、スピーカ５２から出力される音声をガラス板２１の主面と平行な方向に導いてアンテナ配置空間Ｘに出力するように形成されている。
【００３４】
これにより、スピーカ５２から出力された音声を、隙間Ｙが存在するガラス板２１方向に良好に導くことができる。
【００３５】
本実施形態において、外側ケース３０の主面にはガラス板２１が配置され、外側ケース３０とガラス板２１との間に隙間Ｙが設けられている。
【００３６】
これにより、外側ケース３０とガラス板２１との間の隙間Ｙを介して、タブレット端末装置Ｗの外部空間に出力することができる。
【００３７】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３８】
なお、本実施形態では、スピーカ５２から出力された音声を、外側ケース３０とガラス板２１との間の隙間Ｙを介してタブレット端末装置Ｗの外部空間に出力するように構成した。しかし、これに限らない。例えば、外側ケース３０にアンテナ配置空間Ｘとタブレット端末装置Ｗの外部空間とを連通する貫通孔を設け、当該貫通孔を介してスピーカ５２から出力された音声をタブレット端末装置Ｗの外部空間に出力するように構成してもよい。
【００３９】
本実施形態では、電子機器がタブレット端末装置である場合について説明した。しかし、これに限らない。本開示は、ノート型コンピュータ、電子手帳、電子ゲーム装置等の電子機器に広く適用可能である。
【００４０】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００４１】
本開示は、ノート型コンピュータ、タブレット型コンピュータ、電子手帳、電子ゲーム装置等の持ち運び可能な電子機器に広く適用可能である。
【符号の説明】
【００４２】
Ｗ  タブレット端末装置
１  筐体
２  上面部
４  下面部
６  側面部
１０  電池パック
１１  表示部材
２１  ガラス板
３０  外側ケース
３１  側面部材
３１ａ  側壁部
３１ｂ  上壁部
３１ｃ  下壁部
３２  下面部材
４０  内側ケース
４１  上側部材
４１ａ  凹部
４１ｄ  上壁部
４１ｅ  連通溝
４１ｆ  連通孔
４２  下側部材
５１  アンテナ
５２  スピーカ
５２ａ  振動板
６１  防水シート
Ｘ  アンテナ配置空間
Ｙ  隙間
【手続補正３】
【補正対象書類名】図面
【補正対象項目名】全図
【補正方法】変更
【補正の内容】
【図１】
2015097936.tif 000009
【図２】
2015097936.tif 000010
【図３】
2015097936.tif 000011
【図４】
2015097936.tif 000012
【図５】
2015097936.tif 000013
【図６】
2015097936.tif 000014
【国際調査報告】
2015097936.tif 000015
2015097936.tif 000016
2015097936.tif 000017
2015097936.tif 000018